【事件の表示】
　特許第５８５９６３３号発明「太陽電池封止材および太陽電池モジュール」の特許異議申立事件について、次のとおり決定する。
【結　論】
　特許第５８５９６３３号の特許請求の範囲を訂正請求書に添付された訂正特許請求の範囲のとおり、訂正後の請求項〔１−１２〕について」）訂正することを認める。
　特許第５８５９６３３号の請求項１−４、６−９、１１及び１２に係る特許を維持する。
　特許第５８５９６３３号の請求項５及び１０に係る特許についての特許異議の申立てを却下する。
【理　由】
第１　手続の経緯
　特許第５８５９６３３号の請求項１〜１２に係る特許についての出願は、平成２５年２月７日（パリ条約による優先権主張日本国特許庁受理２０１２年２月１４日）を国際出願日とする出願であって、平成２７年１２月２５日にその特許権の設定登録がされ、平成２８年８月９日に、その特許について、特許異議申立人合同会社ＳＡＳ（以下、「特許異議申立人」という。）により特許異議の申立てがされ、平成２８年１０月１３日付けで取消理由が通知され、平成２８年１２月８日付けで意見書が提出され、平成２８年１２月２２日付けで取消理由（決定の予告）が通知され、平成２９年３月１日付けで意見書の提出及び訂正請求がされ、平成２９年４月１３日付けで特許異議申立人から意見書が提出されたものである。
第２　訂正の適否
１　訂正の内容
（１）請求項１に係る訂正事項１
　特許権者は、特許請求の範囲の請求項１に記載の「当該太陽電池封止材中の前記ヒンダードフェノール系安定剤の含有量が、前記エチレン・α−オレフィン共重合体１００重量部に対して０．００５〜０．１重量部であり、」と記載されているのを、「当該太陽電池封止材中の前記ヒンダードフェノール系安定剤の含有量が、前記エチレン・α−オレフィン共重合体１００重量部に対して０．００５〜
０．０６
　また、「である太陽電池封止材。」と記載されているのを
「であ
り、
　前記エチレン・α−オレフィン共重合体が、以下の要件ａ１）〜ａ４）を満たす
　ａ１）エチレンに由来する構成単位の含有割合が８０〜９０ｍｏｌ％であり、炭素数３〜２０のα−オレフィンに由来する構成単位の含有割合が１０〜２０ｍｏｌ％である。
　ａ２）ＡＳＴＭ　Ｄ１２３８に準拠し、１９０℃、２．１６ｋｇ荷重の条件で測定されるＭＦＲが０．１〜５０ｇ／１０分である。
　ａ３）ＡＳＴＭ　Ｄ１５０５に準拠して測定される密度が０．８６５〜０．８８４ｇ／ｃｍ
３
である。
　ａ４）ＡＳＴＭ　Ｄ２２４０に準拠して測定されるショアＡ硬度が６０〜８５である。
（２）請求項５に係る訂正事項２
　特許請求の範囲の請求項５を削除する。
（３）請求項６に係る訂正事項３
　特許請求の範囲の請求項６に「請求項５に記載の太陽電池封止材。」と記載されているのを、「請求項
１乃至４いずれか一項
（４）請求項７に係る訂正事項４
　特許請求の範囲の請求項７に「請求項１乃至６いずれか一項に記載の太陽電池封止材。」と記載されているのを、「請求項１乃至
４および
（５）請求項８に係る訂正事項５
　特許請求の範囲の請求項８に「請求項１乃至７いずれか一項に記載の太陽電池封止材。」と記載されているのを、「請求項１乃至
４、６および
（６）請求項９に係る訂正事項６
　特許請求の範囲の請求項９に「請求項１乃至８いずれか一項に記載の太陽電池封止材。」と記載されているのを、「請求項１乃至
４および６乃至８
（７）請求項１０に係る訂正事項７
　特許請求の範囲の請求項１０を削除する。
（８）請求項１１に係る訂正事項８
　特許請求の範囲の請求項１１に「請求項１乃至１０いずれか一項に記載の太陽電池封止材。」と記載されているのを、「請求項１乃至
４および６乃至９
（９）請求項１２に係る訂正事項９
　特許請求の範囲の請求項１２に「請求項１乃至１１いずれか一項に記載の太陽電池封止材。」と記載されているのを、「請求項１乃至
４、６乃至９および１１
２　訂正の目的の適否、特許請求の範囲の拡張・変更の存否、新規事項の有無及び一群の請求項
（１）訂正事項１−１ 
ア　訂正の目的の適否 
　訂正事項１−１は、請求項１に記載の「当該太陽電池封止材中の前記ヒンダードフェノール系安定剤の含有量」について、「０．００５〜０．１重量部」であったのを「０．００５〜
０．０６
 　 
イ　特許請求の範囲の拡張・変更の存否 
　訂正事項１−１は、発明特定事項である「当該太陽電池封止材中の前記ヒンダードフェノール系安定剤の含有量」を減縮するものであり、カテゴリーや対象、目的を変更するものではないから、実質上特許請求の範囲を拡張し、又は変更するものには該当せず、特許法第１２０条の５第９項で準用する特許法第１２６条第６項に適合する。 
 　 
ウ　新規事項の有無 
　訂正事項１は、明細書の段落【００８０】に「本実施形態の
太陽電池封止材中のヒンダードフェノール系安定剤の含有量は、エチレン・α−オレフィン共重合体１００重量部に対して、
０．００５〜
〜０．０６重量部である
（２）訂正事項１−２ 
ア　訂正の目的の適否 
　訂正事項１−２は、請求項１に記載の「エチレン・α−オレフィン共重合体」について、「エチレン・α−オレフィン共重合体が、以下の要件ａ１）〜ａ４）を満たす」と特定する訂正であって、「エチレン・α−オレフィン共重合体」を減縮するものであるから、訂正事項１−１は、特許法第１２０条の５第２項ただし書第１号に規定する特許請求の範囲の減縮を目的とするものである。 
 　 
イ　特許請求の範囲の拡張・変更の存否 
　訂正事項１−２は、発明特定事項である「エチレン・α−オレフィン共重合体」を減縮するものであり、カテゴリーや対象、目的を変更するものではないから、実質上特許請求の範囲を拡張し、又は変更するものには該当せず、特許法第１２０条の５第９項で準用する特許法第１２６条第６項に適合する。 
 　 
ウ　新規事項の有無 
　訂正事項１−２は、明細書の段落【００１６】及び【００３４】ないし【００４６】の記載、特に訂正前の特許請求の範囲の請求項５に
「前記エチレン・α−オレフィン共重合体が、以下の要件ａ１）〜ａ４）を満たす請求項１乃至４いずれか一項に記載の太陽電池封止材。
　ａ１）エチレンに由来する構成単位の含有割合が８０〜９０ｍｏｌ％であり、炭素数３〜２０のα−オレフィンに由来する構成単位の含有割合が１０〜２０ｍｏｌ％である。
　ａ２）ＡＳＴＭ　Ｄ１２３８に準拠し、１９０℃、２．１６ｋｇ荷重の条件で測定されるＭＦＲが０．１〜５０ｇ／１０分である。
　ａ３）ＡＳＴＭ　Ｄ１５０５に準拠して測定される密度が０．８６５〜０．８８４ｇ／ｃｍ３である。
　ａ４）ＡＳＴＭ　Ｄ２２４０に準拠して測定されるショアＡ硬度が６０〜８５である。」
と記載されているから、当該訂正事項１−２は、本願明細書等に記載した事項の範囲内の訂正であり、特許法第１２０条の５第９項で準用する特許法第１２６条第５項に適合する。 
（３）訂正事項２及び訂正事項７
ア　訂正の目的の適否 
　訂正事項２及び訂正事項７は、特許請求の範囲の請求項５及び１０をそれぞれ削除するものであるから、特許法第１２０条の５第２項ただし書第１号に規定する特許請求の範囲の減縮を目的とするものである。
イ　特許請求の範囲の拡張・変更の存否 
　訂正事項２及び訂正事項７は、特許請求の範囲の請求項５及び１０をそれぞれ削除するものであり、カテゴリーや対象、目的を変更するものではないから、実質上特許請求の範囲を拡張し、又は変更するものには該当せず、特許法第１２０条の５第９項で準用する特許法第１２６条第６項に適合する。 
ウ　新規事項の有無 
　訂正事項２及び訂正事項７は、特許請求の範囲の請求項５及び１０をそれぞれ削除するものであり、特許法第１２０条の５第９項で準用する特許法第１２６条第５項に適合する。
（４）訂正事項３〜６、８及び９
ア　訂正の目的の適否 
　訂正事項３〜６、８及び９は、削除した請求項を引用する記載であったものを、請求項間の引用関係をそれぞれ解消し、削除した請求項を引用しないものとするための訂正であって、特許法第１２０条の５第２項ただし書第４号に規定する「他の請求項の記載を引用する請求項の記載を当該他の請求項の記載を引用しないものとすること」を目的とするものである。
イ　特許請求の範囲の拡張・変更の存否 
　訂正事項３〜６、８及び９は、削除した請求項を引用しないものとするための訂正であり、カテゴリーや対象、目的を変更するものではないから、実質上特許請求の範囲を拡張し、又は変更するものには該当せず、特許法第１２０条の５第９項で準用する特許法第１２６条第６項に適合する。 
ウ　新規事項の有無 
　訂正事項２及び訂正事項７は、削除した請求項を引用しないものとするための訂正であり、特許法第１２０条の５第９項で準用する特許法第１２６条第５項に適合する。
（５）一群の請求項
　訂正事項１ないし９に係る訂正前の請求項１ないし１２は、当該訂正事項１−１、１−２を含む請求項１の記載を訂正前の請求項２ないし１２がそれぞれ引用しているものであるから、これらに対応する訂正後の請求項〔１ないし１２〕は、特許法第１２０条の５第４項に規定する一群の請求項である。
３　小括
　したがって、特許第５８５９６３３号の特許請求の範囲を訂正請求書に添付した特許請求の範囲のとおり、訂正後の請求項〔１ないし１２〕について訂正することを認める。 
第３　特許異議の申立てについて
１　本件特許発明
　本件訂正請求により訂正された訂正請求項１ないし１２に係る発明（以下、それぞれを「本件特許発明１」ないし「本件特許発明１２」という。）は、その特許請求の範囲の請求項１ないし１２に記載された次の事項により特定されるとおりのものである。
「【請求項１】
　表面側透明保護部材と、
　裏面側保護部材と、
　太陽電池素子と、
　前記太陽電池素子を前記表面側透明保護部材と前記裏面側保護部材との間に封止し、かつ、前記太陽電池素子の少なくとも片面に接する封止層と、
を備えた太陽電池モジュールを構成する前記封止層の形成に用いられる太陽電池封止材であって、
　エチレン・α−オレフィン共重合体と、ヒンダードアミン系光安定剤と、ヒンダードフェノール系安定剤と、リン系安定剤とを含み、
　当該太陽電池封止材中の前記ヒンダードフェノール系安定剤の含有量が、前記エチレン・α−オレフィン共重合体１００重量部に対して０．００５〜０．０６重量部であり、
　当該太陽電池封止材中の前記リン系安定剤の含有量が、前記エチレン・α−オレフィン共重合体１００重量部に対して０．００５〜０．５重量部であり、
　前記エチレン・α−オレフィン共重合体が、以下の要件ａ１）〜ａ４）を満たす太陽電池封止材。
　ａ１）エチレンに由来する構成単位の含有割合が８０〜９０ｍｏｌ％であり、炭素数３〜２０のα−オレフィンに由来する構成単位の含有割合が１０〜２０ｍｏｌ％である。
　ａ２）ＡＳＴＭ　Ｄ１２３８に準拠し、１９０℃、２．１６ｋｇ荷重の条件で測定されるＭＦＲが０．１〜５０ｇ／１０分である。
　ａ３）ＡＳＴＭ　Ｄ１５０５に準拠して測定される密度が０．８６５〜０．８８４ｇ／ｃｍ３である。
　ａ４）ＡＳＴＭ　Ｄ２２４０に準拠して測定されるショアＡ硬度が６０〜８５である。
【請求項２】
　当該太陽電池封止材中の前記ヒンダードアミン系光安定剤の含有量が、前記エチレン・α−オレフィン共重合体１００重量部に対して０．０１〜２．０重量部である、請求項１に記載の太陽電池封止材。
【請求項３】
　有機過酸化物をさらに含む、請求項１または２に記載の太陽電池封止材。
【請求項４】
　前記有機過酸化物の１分間半減期温度が１００〜１７０℃であり、
　当該太陽電池封止材中の前記有機過酸化物の含有量が、前記エチレン・α−オレフィン共重合体１００重量部に対して０．１〜３重量部である、請求項３に記載の太陽電池封止材。
【請求項５】（削除）
【請求項６】
　ＡＳＴＭ　Ｄ１２３８に準拠し、１９０℃、２．１６ｋｇ荷重の条件で測定される前記エチレン・α−オレフィン共重合体のＭＦＲが、１０〜５０ｇ／１０分である、請求項１乃至４いずれか一項に記載の太陽電池封止材。
【請求項７】
　シランカップリング剤をさらに含み、
　当該太陽電池封止材中の前記シランカップリング剤の含有量が、前記エチレン・α−オレフィン共重合体１００重量部に対して０．１〜５重量部である、請求項１乃至４および６いずれか一項に記載の太陽電池封止材。
【請求項８】
　紫外線吸収剤をさらに含み、
　当該太陽電池封止材中の前記紫外線吸収剤の含有量が、前記エチレン・α−オレフィン共重合体１００重量部に対して０．００５〜５重量部である、請求項１乃至４、６および７いずれか一項に記載の太陽電池封止材。
【請求項９】
　架橋助剤をさらに含み、
　当該太陽電池封止材中の前記架橋助剤の含有量が、前記エチレン・α−オレフィン共重合体１００重量部に対して０．０５〜５重量部である、請求項１乃至４および６乃至８いずれか一項に記載の太陽電池封止材。
【請求項１０】（削除）
【請求項１１】
　シート状である、請求項１乃至１０いずれか一項に記載の太陽電池封止材。
【請求項１２】
　表面側透明保護部材と、
　裏面側保護部材と、
　太陽電池素子と、
　請求項１乃至４、６乃至９および１１いずれか一項に記載の太陽電池封止材を架橋させて形成された、前記太陽電池素子を前記表面側透明保護部材と前記裏面側保護部材との間に封止する封止層と、
を備えた太陽電池モジュール。」
２　取消理由の概要
　訂正前の請求項１ないし１２に係る特許に対して平成２８年１２月２２日付けで通知した取消理由の要旨は、次のとおりである。
　なお、以下では、訂正前の請求項１ないし１２に係る発明をそれぞれ「本件発明１」ないし「本件発明１２」という。また、異議申立人の提出した甲第１号証（特開平１１−２６７９１号公報）を「甲１」といい、甲１に記載された発明を「甲１発明」といい、異議申立人の提出した甲第２号証（国際公開第２００６／０５７３６１号）を「甲２」という。
　本件発明１ないし４、及び７ないし１２は、甲１発明及び甲１記載の技術事項に基づいて当業者が容易に発明をすることができたものであるから、特許法第２９条第２項の規定により特許を受けることができないものである。よって、本件発明１ないし４、及び７ないし１２は特許法第２９条第２項の規定に違反してなされたものであり、同法第１１３条第２号に該当し、取り消されるべきものである。 
  
 　また、本件発明５、６は、甲１発明及び甲１記載の技術事項並びに甲２記載の技術事項に基づいて当業者が容易に発明をすることができたものであるから、特許法第２９条第２項の規定により特許を受けることができないものである。よって、本件発明５、６は特許法第２９条第２項の規定に違反してなされたものであり、同法第１１３条第２号に該当し、取り消されるべきものである。 
３　甲各号証の記載
（１）甲１の記載事項、及び、甲１に記載された発明
ア　甲１の記載事項
　取消理由で通知した特開平１１−２６７９１号公報（甲１）には次の事項が記載されている。（下線は当審において付したものである。）
ａ　「【０００１】
【発明の属する技術分野】本発明は、
太陽電池モジュール用保護シート
ｂ　「【０００５】
【課題を解決するための手段】本発明は、
有機過酸化物を含有するエチレン共重合体からなる太陽電池モジュール用保護シートにおいて、
【０００６】
【発明の実施の形態】本発明で用いられる
エチレン共重合体は、
α−オレフィン
共重合成分とエチレンの共重合体
【０００７】これらエチレン共重合体としては、エチレン・酢酸ビニル共重合体やエチレン・不飽和カルボン酸エスエル共重合体の使用が好ましく、とくにエチレン・酢酸ビニル共重合体の使用がもっとも好ましい。透明性、接着性、柔軟性、熱収縮特性、強度等を勘案すると、エチレン・酢酸ビニル共重合体やエチレン・不飽和カルボン酸エステル共重合体としてはエチレン含量が５５〜８５重量％、とくに６０〜８０重量％程度のものを使用するのが好ましい。もっとも受光側でない裏面保護シートには、透明性は要求されないのでエチレン含量のさらに高い共重合体も好ましく使用できる。エチレン共重合体としてはまた、加工性、強度等を勘案すると、１９０℃、２１６０ｇ荷重におけるメルトフローレートが１〜１００ｇ／１０分、とくに２〜６０ｇ／１０分程度のものを使用するのが好ましい。
【０００８】本発明の保護シートに用いられるエチレン共重合体には、２種のタイプの有機過酸化物が配合される。その一つはジアルキルパーオキサイド（Ａ）であり、とくに１時間半減期温度が１３０〜１６０℃、とりわけ１３５〜１５０℃のものが好ましい。なお本発明の過酸化物における「アルキル」は、脂環族炭化水素や芳香族炭化水素で置換されたアルキルも含むものである。より具体的には、ジクミルパーオキサイド（１３５℃）、１，３−ビス（２−ｔ−ブチルパーオキシイソプロピル）ベンゼン（１３７℃）２，５−ジメチル−２，５−ビス（ｔ−ブチルパーオキシ）ヘキサン（１３８℃）、ｔ−ブチルクミルパーオキサイド（１４２℃）、ジ−ｔ−ブチルパーオキサイド（１４９℃）、あるいはこれらの２種以上の任意割合の混合物などを例示することができる。
【０００９】他のタイプの過酸化物（Ｂ）は、アルキルパーオキシエステル（Ｂ１）またはパーオキシケタール（Ｂ２）から選ばれるものであり、とくに１時間半減期温度が１００〜１３５℃、とりわけ１０５〜１３０℃のものが好ましい。より具体的には、ｔ−ブチルパーオキシイソブチレート（１０２℃）、ｔ−ブチルパーオキシマレイン酸（１１０℃）、ｔ−ブチルパーオキシイソプロピルカーボネート（１１９℃）、ｔ−ブチルパーオキシ２−エチルヘキシルカーボネート（１２１℃）、２，５−ジメチル−２，５−ビス（ベンゾイルパーオキシ）ヘキサン（１１８℃）、ｔ−ブチルパーオキシアセテート（１２３℃）、ｔ−ブチルパーオキシイソノナノエート（１２３℃）、ｔ−ブチルパーオキシベンゾエート（１２５℃）などのアルキルパーオキシエステル、１，１−ビス（ｔ−ブチルパーオキシ）３，３，５−トリメチルシクロヘキサン（１１２℃）、１，１−ビス（ｔ−ブチルパーオキシ）シクロヘキサン（１１２℃）、１，１−ビス（ｔ−アミルパーオキシ）シクロヘキサン（１１２℃）、２，２−ビス（ｔ−ブチルパーオキシ）ブタン（１１９℃）、ｎ−ブチル−４，４−ビス（ｔ−ブチルパーオキシ）バレレート（１２９℃）、エチル−３，３−ジ（ｔ−ブチルパーオキシ）ブチレート（１３５℃）などのパーオキシケタール、あるいはこれら２種以上の任意割合の混合物などを例示することができる（括弧内はいずれも１時間半減期温度）。これら過酸化物は無機物粉末や溶媒により希釈したものを使用することができる。
【００１０】過酸化物（Ａ）と（Ｂ）の使用比率は、重量比で（Ａ）／（Ｂ）が１０／９０〜９０／１０、好ましくは３０／７０〜７０／３０の範囲である。また
過酸化物
合計使用量は、エチレン共重合体１００重量部に対し
０．５〜３重量部である
【００１１】本発明の
保護シートは、
カップリング剤は、エチレン共重合体１００重量部に対し、
０．５〜５重量部程度配合する
【００１２】また架橋速度や架橋効率を高めるために、
架橋助剤を配合する
【００１３】さらに各種酸化防止剤、光安定剤、紫外線吸収剤、着色剤などを配合することができる。例えば
酸化防止剤として、フェノール系安定剤、
燐酸系安定剤
、また光安定剤としてはヒンダードアミン系光安定剤を、また紫外線吸収剤
を
【００１４】保護シートの成形は、エチレン共重合体、有機過酸化物、適宜配合される添加剤からなる組成物を、通常のエチレン共重合体の成形と同様にして、有機過酸化物が実質的に分解しない温度、例えば８０〜１３０℃のような温度で行うことができる。シート厚みは０．１〜１．０ｍｍ程度が適当である。
【００１５】かくして得られる保護シートを用いて
太陽電池素子を封止するには、
【００１６】加熱は、最終的に保護シート中に添加されている有機過酸化物がほぼ完全に分解するまで行うのが好ましい。この加熱処理により、
保護シートは架橋され
太陽電池素子が２枚の保護シートでラミネート化され、かつそれがその上部透明保護材と下部基板保護材とに
貼り合わされた太陽電池モジュール
ｃ　「【００２１】
【発明の効果】本発明によれば、黄変や膨れ現象がみられない保護シートが提供できる。このような保護シートを用いて太陽電池モジュールを製造する場合、低温で短時間で架橋を行うことができるので、太陽電池モジュールの生産性を高めることができる。また得られる太陽電池モジュールは、外観、品質に優れ、かつ経時的な光線透過率の低下が少ないため、長期にわたって高い発電効率を維持することができる。」
ｄ　「【００２２】
【実施例】
［実施例１］エチレン−酢酸ビニル共重合体（酢酸ビニル含量３３重量％、ＭＦＲ３０ｇ／１０ｍｉｎ）１００重量部に対してジアルキルパーオキサイド（Ａ）として２，５−ジメチル−２，５−ジ（ｔ−ブチルパーオキシ）ヘキサン０．７５部、パーオキシケタール（Ｂ２）として１，１−ジ（ｔ−ブチルパーオキシ）−３，３，５−トリメチルシクロヘキサン０．７５部、その他の添加剤として、γ−メタクリロキシプロピルメトキシシラン１．０重量部、２−ヒドロキシ−４−ｎ−オクトキシベンゾフェノン０．３重量部、ビス（２，２，６，６−テトラメチル−４−ピペリジル）セバケート０．１重量部、オクタデシル−３−（３，５−ジ−ｔ−ブチル−４−ヒドロキシフェニル）プロピオネート０．１重量部、及びトリス（ノニルフェニル）ホスファイト０．２重量部を配合した混合物をＴ−ダイ押出成形機を用いて、成形温度９０℃にて０．６ｍｍ厚みのシートに押出した。」
イ　甲１に記載された発明（甲１発明）
　甲１に「【００１５】かくして得られる保護シートを用いて
太陽電池素子を封止するには、
太陽電池素子を
２枚の
保護シートで挟み
さらに
その両側に
上部透明保護材と下部基板保護材とを重ね合わせ、真空にすることにより脱気操作したのち、またはこれと同時に加熱し、次いで加圧することにより接着させて貼り合わせる。この際、太陽電池素子を本発明の保護シートで予めラミネート化し、次いで上部透明保護材および下部基板保護材と貼り合わせてもよい。
加熱処理により、保護シートは架橋され
太陽電池素子が２枚の保護シートでラミネート化され、かつそれがその上部透明保護材と下部基板保護材とに強固に貼り合わされた太陽電池モジュールが形成される
太陽電池素子は２枚の保護シートで挟まれて封止され、さらにその両側に上部透明保護材と下部基板保護材が重ね合わされた太陽電池モジュール
「太陽電池素子は２枚の保護シートで挟まれて封止され、さらにその両側に上部透明保護材と下部基板保護材とが重ね合わされた太陽電池モジュールの
有機過酸化物を含有するエチレン共重合体からなる太陽電池モジュール用保護シートにおいて、
前記エチレン共重合体は、α−オレフィン共重合成分とエチレンの共重合体であり、
前記有機過酸化物の合計使用量は、エチレン共重合体１００重量部に対し０．５〜３重量部であり、
前記保護シートは、カップリング剤が、エチレン共重合体１００重量部に対し、０．５〜５重量部程度配合され、
架橋助剤が配合され、
酸化防止剤として、フェノール系安定剤、燐酸系安定剤などが配合され、
また光安定剤としてはヒンダードアミン系光安定剤が配合され、
また紫外線吸収剤が配合された
太陽電池モジュール用保護シート。」
の発明（以下「甲１発明」という。）が記載されている。
（２）甲２の記載事項、及び、甲２に記載された技術事項
ア　甲２の記載事項
　取消理由で通知した国際公開第２００６／０５７３６１号（甲２）には次の事項が記載されている。（下線は当審において付したものである。）
「［０４５３］上記表面保護層と第九の発明の太陽電池封止用シート層との間、または複数の上記表面保護層間との接着力を向上させるために、公知の接着剤および接着性#脂層を設けることも可能である。また、太陽電池を実施する形態により、上記表面保護層の片面が遮光性・光反射性を有していてもよい。
　また第９の発明の応用として、第９の発明の太陽電池封止シートを用いて作製された太陽電池モジュール、該太陽電池モジュールを有する発電設備が挙げられる。太陽電池モジュールの構成、発電設備の構成については、後述する第１０の発明における太陽電池モジュールの構成、および発電設備の構成において
第１０の発明における太陽電池封止シート
　１０．第十の発明
　以下、第十の発明について詳細に説明する。
［０４５４］
第十の発明は、
エチレン系共重合体からなる層（Ｉ−１０）、および、
と
熱可塑性樹脂組成物（Ｘ１０）からなる層（ＩＩ−１０）を有する
［０４５５］以下、第十の発明について詳細に説明する。
＜エチレン系共重合体からなる層（Ｉ−１０）＞
[エチレン系共重合体]
　
第十の発明に用いられる層（Ｉ−１０）に用いられるエチレン系共重合体は、
ショアーＡ硬度が５０〜９０であり、エチレン由来の構成単位を６０〜９５ｍｏｌ％含む
［０４５６］ショアーＡ硬度が上記範囲にあると、太陽電池セルを封入する際にセルの割れを防止できるため好ましい。ショアーＡ硬度は、好ましくは５５〜８８、より好ましくは６０〜８５である。ショアーＡ硬度は、ＪＩＳＫ６３０１の規定に従い測定することができる。エチレン含有量が上記範囲にあると、ショアーＡ硬度を上記範囲とすることが容易なため好ましい。エチレン含有量は、好ましくは６５〜９２ｍｏｌ％、より好ましくは７０〜９０ｍｏｌ％である。エチレン含有量は、１３Ｃ−ＮＭＲのスペクトルの解析により各モノマーの量比を定量化することで求められる。
［０４５７］層（Ｉ−１０）に用いられるエチレン系共重合体は、上記の硬度およびエチレン含量の条件を満たしていればよぐエチレン以外のモノマーの種類には特に制限はない。従って、エチレンと共重合が可能である各種のモノマーを適宜使用することができる力酢酸ビニル、アクリル酸エステル、メタクリル酸エステル、プロピレン、ブテン−１、　へキセン−１、４−メチルペンテン−１、およびオタテン−１からなる少なくとも１種類のモノマーを用いることが望ましい。これらのモノマーは、１種類のみを用いてもよいし、２種類以上を組み合わせて用いてもよい。２種類以上を用いる場合の組合せについても、特に制限はない。
・・・（途中省略）・・・
[エチレン-プロピレン共重合体またはエチレン-ブテン共重合体]
　第十の発明において
好ましく用いられるエチレン−プロピレン共重合体またはエチレン−ブテン共重合体
［０４６０］このエチレン−プロピレン共重合体またはエチレン−ブテン共重合体
のメルトフローレ一卜（ＭＦＲ２．１６）（ＡＳＴＭ　Ｄ１２３８に従い、１９０℃、荷重２．１６１ｋｇで測定）は０．ｌｇ／１０分〜５０ｇ／１０分
［０４６１］このエチレン−プロピレン共重合体またはエチレン−ブテン共重合体の
密度（ＡＳＴＭＤ１５０５に準拠して測定）は、通常８５５〜９０５ｋｇ／ｍ
３
　このエチレン−プロピレン共重合体またはエチレン−ブテン共重合体は、温度１９０℃、荷重１０ｋｇで測定されたメルトフローレート（ＭＦＲ１０）（ＡＳＴＭ　Ｄ１２３８に従い測定）と、ＭＦＲ２．１６との比（ＭＦＲ１０／ＭＦＲ２．１６）が５〜１２であることが好ましい。」
「［０４９７］上述のように、ポリエステル樹脂およびガラスは、表面保護シートとして優れた特性を有しているが、その一方で接着が比較的困難なことで知られている。第十の発明の太陽電池用封止シートの層（Ｉ−１０）は、接着性に優れた特定のエチレン系共重合体からなり、かつ、好ましくはシランカップリング剤を含有しているため、ポリエステル樹脂およびガラスとの接着性に優れている。従って、第十の発明の太陽電池モジュールにおいては、上記太陽電池用封止シートが、その
層（Ｉ−１０）において表面保護シートと接合され
 [太陽電池モジュール用裏面保護シート] 
　上記太陽電池モジュールに用いられる太陽電池モジュール用裏面保護シートには特に制限はないが、太陽電池モジュールの最表層に位置するため、上述の表面保 護シートと同様に、耐候性、機械強度などの諸特性が求められる。従って、表面保護シートと同様の材質で太陽電池モジュール用裏面保護シートを構成してもよい。すなわち、ポリエステル樹脂およびガラスを好ましく用いることができる。
［０４９８］第十の発明の太陽電池用封止シートの層（Ｉ−１０）は、接着性に優れた特定のエチレン系共重合体からなり、かつ、好ましくはシランカップリング剤を含有しているため、ポリエステル樹脂およびガラスとの接着性に優れている。従って、第十の発明太陽電池モジュールにおいては、上記太陽電池用封止シートが、その
層（Ｉ−１０）において裏面保護シートと接合され
「［０５００］シリコンおよび化合物半導体ともに、太陽素子として優れた特性を有しているが、外部からの応力、衝撃などにより破損しやすいことで知られている。第十の発明の太陽電池用封止シートの層（ＩＩ−１０）は、柔軟性に優れた特定の熱可塑性樹脂組成物（Ｘ１０）からなるため、太陽電池素子への応力および衝撃などを吸収して、太陽電池素子の破損を防ぐ効果が大きい。従って、上記太陽電池モジュールにおいては、第十の発明の太陽電池用封止シートが、その
層（ＩＩ−１０）において太陽電池素子と接合されている
イ　甲２に記載された技術事項
　以上の記載から、甲２には、第１０の発明として太陽電池封止シートの技術事項が以下のとおり記載されていると認められる。
「エチレン系共重合体からなる層（Ｉ−１０）および熱可塑性樹脂組成物（Ｘ１０）からなる層（ＩＩ−１０）を有する太陽電池封止シートにおいて、
　層（Ｉ−１０）において表面保護シートと接合され、
　層（Ｉ−１０）において裏面保護シートと接合され、
　層（ＩＩ−１０）において太陽電池素子と接合され、
　層（Ｉ−１０）に用いられるエチレン系共重合体は、ショアーＡ硬度が５０〜９０であり、エチレン由来の構成単位を６０〜９５ｍｏｌ％含み、
　好ましく用いられるエチレン−プロピレン共重合体またはエチレン−ブテン共重合体のメルトフローレ一卜（ＭＦＲ２．１６）（ＡＳＴＭ　Ｄ１２３８に従い、１９０℃、荷重２．１６１ｋｇで測定）は０．ｌｇ／１０分〜５０ｇ／１０分で、密度（ＡＳＴＭＤ１５０５に準拠して測定）は、通常８５５〜９０５ｋｇ／ｍ３である。」
４　取消理由（決定の予告）に記載した取消理由についての当審の判断
（１）本件特許発明１について
ア　本件特許発明１と甲１発明とを対比する。
　甲１発明の「上部透明保護材」、「下部基板保護材」は、それぞれ本件特許発明１の「表面側透明保護部材」、「裏面側保護部材」に相当する。そして、甲１発明の「太陽電池素子は２枚の保護シートで挟まれて封止され、さらにその両側に上部透明保護材と下部基板保護材とが重ね合わされた太陽電池モジュール」において、甲１発明の「保護シート」は、本件特許発明１の「前記太陽電池素子を前記表面側透明保護部材と前記裏面側保護部材との間に封止し、かつ、前記太陽電池素子の少なくとも片面に接する封止層」に相当する。
　甲１発明の「有機過酸化物を含有するエチレン共重合体からなる太陽電池モジュール用保護シート」において、「有機過酸化物を含有するエチレン共重合体からなる」材料は、「α−オレフィン共重合成分とエチレンの共重合体」と「ヒンダードアミン系光安定剤」と「フェノール系安定剤」と「燐酸系安定剤」とを含むものであり、本件特許発明１の「前記封止層の形成に用いられる太陽電池封止材」に相当する。
　そして、甲１発明の「α−オレフィン共重合成分とエチレンの共重合体」と「ヒンダードアミン系光安定剤」は、それぞれ本件発明１の「エチレン・α−オレフィン共重合体」と「ヒンダードアミン系光安定剤」に相当する。
　また、甲１発明の「フェノール系安定剤」と本件特許発明１の「ヒンダードフェノール系安定剤」とは、共に「フェノール系安定剤」である点で共通する。
　さらに、甲１発明の「燐酸系安定剤」は、リン系安定剤に属するものであるといえるから、本件特許発明１の「リン系安定剤」に相当する。
イ　一致点
　よって、本件特許発明１と甲１発明とは、
「表面側透明保護部材と、
　裏面側保護部材と、
　太陽電池素子と、
　前記太陽電池素子を前記表面側透明保護部材と前記裏面側保護部材との間に封止し、かつ、前記太陽電池素子の少なくとも片面に接する封止層と、
を備えた太陽電池モジュールを構成する前記封止層の形成に用いられる太陽電池封止材であって、
　エチレン・α−オレフィン共重合体と、ヒンダードアミン系光安定剤と、フェノール系安定剤と、リン系安定剤とを含む、
　太陽電池封止材。」
において一致し、次の点で相違する。
ウ　相違点
（ア）相違点１
　フェノール系安定剤について、本件特許発明１は、「ヒンダードフェノール系安定剤」であり、「当該太陽電池封止材中の前記ヒンダードフェノール系安定剤の含有量が、前記エチレン・α−オレフィン共重合体１００重量部に対して０．００５〜０．０６重量部であ」るのに対し、甲１発明は、どのようなフェノール系安定剤で、どのような配合割合か不明である点。
（イ）相違点２
　リン系安定剤について、本件特許発明１は、「含有量が、前記エチレン・α−オレフィン共重合体１００重量部に対して０．００５〜０．５重量部である」のに対し、甲１発明は、どのような配合割合か不明である点。
（ウ）相違点３
　本件特許発明１は、「前記エチレン・α−オレフィン共重合体が、以下の要件ａ１）〜ａ４）を満たす」のに対し、甲１発明は、そのような要件を満たすか否か不明である点。
「ａ１）エチレンに由来する構成単位の含有割合が８０〜９０ｍｏｌ％であり、炭素数３〜２０のα−オレフィンに由来する構成単位の含有割合が１０〜２０ｍｏｌ％である。
　ａ２）ＡＳＴＭ　Ｄ１２３８に準拠し、１９０℃、２．１６ｋｇ荷重の条件で測定されるＭＦＲが０．１〜５０ｇ／１０分である。
　ａ３）ＡＳＴＭ　Ｄ１５０５に準拠して測定される密度が０．８６５〜０．８８４ｇ／ｃｍ３である。
　ａ４）ＡＳＴＭ　Ｄ２２４０に準拠して測定されるショアＡ硬度が６０〜８５である。」
エ　事案に鑑み、相違点３について先に検討する。
　甲２には、第１０の発明として太陽電池封止シートの技術事項が以下のとおり記載されている。
「エチレン系共重合体からなる層（Ｉ−１０）および熱可塑性樹脂組成物（Ｘ１０）からなる層（ＩＩ−１０）を有する太陽電池封止シートにおいて、
　層（Ｉ−１０）において表面保護シートと接合され、
　層（Ｉ−１０）において裏面保護シートと接合され、
　層（ＩＩ−１０）において太陽電池素子と接合され、
　層（Ｉ−１０）に用いられるエチレン系共重合体は、ショアーＡ硬度が５０〜９０であり、エチレン由来の構成単位を６０〜９５ｍｏｌ％含み、
　好ましく用いられるエチレン−プロピレン共重合体またはエチレン−ブテン共重合体のメルトフローレ一卜（ＭＦＲ２．１６）（ＡＳＴＭ　Ｄ１２３８に従い、１９０℃、荷重２．１６１ｋｇで測定）は０．ｌｇ／１０分〜５０ｇ／１０分で、密度（ＡＳＴＭＤ１５０５に準拠して測定）は、通常８５５〜９０５ｋｇ／ｍ３である。」
　ここで、太陽電池封止シートの層（Ｉ−１０）に用いられるエチレン系共重合体として、エチレン由来の構成単位（６０〜９５ｍｏｌ％）、ＭＦＲ（０．ｌｇ／１０分〜５０ｇ／１０分）、密度（８５５〜９０５ｋｇ／ｍ３）及びショアーＡ硬度（５０〜９０）のそれぞれの要件は、本件特許発明の要件ａ１）〜ａ４）に対応し、数値範囲についても重複している。
　ところで、甲２の「層（Ｉ−１０）において表面保護シートと接合され、層（Ｉ−１０）において裏面保護シートと接合され、」る構成について、特許異議申立人は意見書第７頁第２４行ないし第２７行に「甲第２号証の発明では、層（Ｉ−１０）において、「裏面保護シート等と接合されていることが望ましい。」と、単に好ましいと記載しているのみであるから、「接合されていない」態様も当然に開示されている。」と主張している。
　しかしながら、甲２に記載された太陽電池封止シートにおいて、ポリエステル樹脂およびガラスからなる表面保護シート及び裏面保護シートの接着が比較的困難なことに鑑み、太陽電池用封止シートの層（Ｉ−１０）に接着性に優れた特定のエチレン系共重合体を用いるものであり（段落［０４９７］、［０４９８］参照。）、層（Ｉ−１０）は、表面保護シート及び裏面保護シートと接着するためのものといえる。
　また、甲２には、層（Ｉ−１０）を太陽電池素子と接合する部位に用いた実施例は示されておらず、甲２の太陽電池用封止シートは、シリコンおよび化合物半導体からなる太陽素子は外部からの応力、衝撃などにより破損しやすいことに鑑み、太陽電池用封止シートの層（ＩＩ−１０）に柔軟性に優れた特定の熱可塑性樹脂組成物（Ｘ１０）を用い、層（ＩＩ−１０）において太陽電池素子と接合されているようにしたものである（段落［０５００］参照。）。
　よって、甲２に記載されている技術事項において、エチレン系共重合体からなる層（Ｉ−１０）は表面保護シート及び裏面保護シートと接合される層であり、太陽電池素子と接合される層ではなく、太陽電池素子と接合される層は、熱可塑性樹脂組成物（Ｘ１０）からなる層（ＩＩ−１０）である。
　したがって、甲第２号証に層（Ｉ−１０）が「接合されていない」態様が開示されているとする特許異議申立人の主張は採用できない。
　甲１発明のエチレン共重合体からなる太陽電池モジュール用保護シートは、上部透明保護材、下部基板保護材及び太陽電池素子に接するものであるところ、配設される部位によって求められる特性が違うことに鑑みれば、甲１発明の上部透明保護材、下部基板保護材及び
太陽電池素子に接するエチレン共重合体からなる太陽電池モジュール用保護シート
太陽電池素子に接しない甲２のエチレン系共重合体からなる層（Ｉ−１０）
　してみると、甲１発明に甲２に記載された技術事項を適用することに動機付けがあるといえないから、相違点３に係る構成は、甲１発明及び甲２に記載された技術事項から当業者が容易に想到し得るものではない。
　したがって、相違点１及び２について検討するまでもなく、本件特許発明１は、甲１発明及び甲２に記載された技術事項に基づいて当業者が容易に発明することができたものとはいえない。
（２）本件特許発明２〜４、６〜９、１１及び１２について
　本件特許発明１の構成を全て含む本件特許発明２〜４、６〜９、１１及び１２は、本件特許発明１の相違点３に係る構成を含むものであるから、本件特許発明１と同じ理由により、甲１発明及び甲２に記載された技術事項に基づいて当業者が容易に発明することができたものとはいえない。
５　取消理由において採用しなかった特許異議申立理由について
（１）特許法第２９条第１項第３号
　特許異議申立人は、特許異議申立書において、請求項１〜４、７〜１２に係る発明は、甲第１号証に記載された発明であると主張しているが、上記４で検討したとおり、本件特許発明１〜４、７〜９、１１及び１２は、甲１発明と対比し少なくとも相違点３を有するから、前記主張は採用できない。
（２）特許法第２９条第２項
　特許異議申立人は、甲第３号証として特開２０１２−９７６１号公報を提示している。　しかしながら、甲第３号証は、エチレン−α−オレフィン共重合体が、α−オレフィンの含有量（５〜４０重量％）（【００２６】参照）、密度（０．８６〜０．９２ｇ／ｃｍ３）、ＭＦＲ（０．０５〜５０ｇ／１０分）（【００２９】参照）の要件を有することを開示するものの、ショアＡ硬度を開示するものではないことから、甲第３号証の記載を考慮したとしても、上記相違点３の構成について、当業者が容易に想到し得たものということはできない。
６　小括
　したがって、本件特許発明１〜４、７〜９、１１及び１２は、特許法第２９条第１項第３号に該当せず、また、本件特許発明１〜４、６〜９、１１及び１２は、特許法第２９条第２項の規定により特許を受けることができないものではない。
第４　むすび
　以上のとおりであるから、取消理由通知に記載した取消理由及び特許異議申立書に記載した特許異議申立理由によっては、本件請求項１〜４、６〜９、１１及び１２に係る特許を取り消すことはできない。また、他に本件請求項１〜４、６〜９、１１及び１２に係る特許を取り消すべき理由を発見しない。
　さらに、本件請求項５及び１０に係る特許は、訂正により削除されたため、本件請求項５及び１０に対して、特許異議申立人がした特許異議の申立てについては、対象となる請求項が存在しない。
　よって、結論のとおり決定する。
【異議決定日】
平成２９年６月６日（２０１７．６．６）
【訂正の要旨】
審決（決定）の【理由】欄参照。
（５７）【特許請求の範囲】
　【請求項１】
　表面側透明保護部材と、
　裏面側保護部材と、
　太陽電池素子と、
　前記太陽電池素子を前記表面側透明保護部材と前記裏面側保護部材との間に封止し、かつ、前記太陽電池素子の少なくとも片面に接する封止層と、
を備えた太陽電池モジュールを構成する前記封止層の形成に用いられる太陽電池封止材であって、
　エチレン・α−オレフィン共重合体と、ヒンダードアミン系光安定剤と、ヒンダードフェノール系安定剤と、リン系安定剤とを含み、
　当該太陽電池封止材中の前記ヒンダードフェノール系安定剤の含有量が、前記エチレン・α−オレフィン共重合体１００重量部に対して０．００５〜
０．０６
　当該太陽電池封止材中の前記リン系安定剤の含有量が、前記エチレン・α−オレフィン共重合体１００重量部に対して０．００５〜０．５重量部であ
り、
　前記エチレン・α−オレフィン共重合体が、以下の要件ａ１）〜ａ４）を満たす
　ａ１）エチレンに由来する構成単位の含有割合が８０〜９０ｍｏｌ％であり、炭素数３〜２０のα−オレフィンに由来する構成単位の含有割合が１０〜２０ｍｏｌ％である。
　ａ２）ＡＳＴＭ　Ｄ１２３８に準拠し、１９０℃、２．１６ｋｇ荷重の条件で測定されるＭＦＲが０．１〜５０ｇ／１０分である。
　ａ３）ＡＳＴＭ　Ｄ１５０５に準拠して測定される密度が０．８６５〜０．８８４ｇ／ｃｍ３である。
　ａ４）ＡＳＴＭ　Ｄ２２４０に準拠して測定されるショアＡ硬度が６０〜８５である。
　【請求項２】
　当該太陽電池封止材中の前記ヒンダードアミン系光安定剤の含有量が、前記エチレン・α−オレフィン共重合体１００重量部に対して０．０１〜２．０重量部である、請求項１に記載の太陽電池封止材。
　【請求項３】
　有機過酸化物をさらに含む、請求項１または２に記載の太陽電池封止材。
　【請求項４】
　前記有機過酸化物の１分間半減期温度が１００〜１７０℃であり、
　当該太陽電池封止材中の前記有機過酸化物の含有量が、前記エチレン・α−オレフィン共重合体１００重量部に対して０．１〜３重量部である、請求項３に記載の太陽電池封止材。
　【請求項５】
（削除）
　【請求項６】
　ＡＳＴＭ　Ｄ１２３８に準拠し、１９０℃、２．１６ｋｇ荷重の条件で測定される前記エチレン・α−オレフィン共重合体のＭＦＲが、１０〜５０ｇ／１０分である、請求項
１乃至４いずれか一項
　【請求項７】
　シランカップリング剤をさらに含み、
　当該太陽電池封止材中の前記シランカップリング剤の含有量が、前記エチレン・α−オレフィン共重合体１００重量部に対して０．１〜５重量部である、請求項１乃至
４および
　【請求項８】
　紫外線吸収剤をさらに含み、
　当該太陽電池封止材中の前記紫外線吸収剤の含有量が、前記エチレン・α−オレフィン共重合体１００重量部に対して０．００５〜５重量部である、請求項１乃至
４、６および
　【請求項９】
　架橋助剤をさらに含み、
　当該太陽電池封止材中の前記架橋助剤の含有量が、前記エチレン・α−オレフィン共重合体１００重量部に対して０．０５〜５重量部である、請求項１乃至
４および６乃至８
　【請求項１０】
（削除）
　【請求項１１】
　シート状である、請求項１乃至
４および６乃至９
　【請求項１２】
　表面側透明保護部材と、
　裏面側保護部材と、
　太陽電池素子と、
　請求項１乃至
４、６乃至９および１１
を備えた太陽電池モジュール。